(57)【要約】      （修正有）【課題】優れた通気性、ＵＶカット性及び遮熱性を発揮できる簡易な構造の晴雨兼用の日傘を提供する。【解決手段】本晴雨兼用の日傘１Ａは、傘軸と、傘軸に一端が連結されて放射状に開くことができる複数の親骨３と、複数の親骨に張り付けられる傘布４と、を備える。そして、傘布４は、防水性の生地で形成された日傘生地部１１と、日傘生地部１１の外周に連なり表面に遮熱性を有する金属膜が形成されたメッシュ生地部１２と、を備え、メッシュ生地部１２は、傘布４の外周部の一部を構成するように配置されている。【選択図】図１
0003231683.tif 000002
【実用新案登録請求の範囲】
【請求項１】
傘軸と、前記傘軸に一端が連結されて放射状に開くことができる複数の親骨と、前記複数の親骨に張り付けられる傘布と、を備える晴雨兼用の日傘であって、
前記傘布は、防水性の生地で形成された日傘生地部と、前記日傘生地部の外周に連なり表面に遮熱性を有する金属膜が形成されたメッシュ生地部と、を備え、
前記メッシュ生地部は、前記傘布の外周部の一部を構成するように配置されていることを特徴とする晴雨兼用の日傘。
【請求項２】
前記メッシュ生地部は、前記複数の親骨が開いた状態で、前記傘布の外周部において前記傘軸を中心とする１３５〜２２５度の角度範囲にわたって配置されている請求項１に記載の晴雨兼用の日傘。
【請求項３】
前記メッシュ生地部は、前記複数の親骨が開いた状態で、前記傘軸の軸方向に沿う最大高さ（Ｈ）が５０〜３５０ｍｍである請求項１又は２に記載の晴雨兼用の日傘。
【請求項４】
前記メッシュ生地部は、前記傘布の周方向の両端側が該周方向の先端に向かって先細り状に形成されている請求項１乃至３のいずれか一項に記載の晴雨兼用の日傘。
【請求項５】
前記金属膜は、チタン、ステンレス又は銅ニッケル合金により形成されている請求項１乃至４のいずれか一項に記載の晴雨兼用の日傘。
【請求項６】
前記メッシュ生地部は、前記複数の親骨が開いた状態で、前記傘布の外周部において前記傘軸を中心とする１３５〜２２５度の角度範囲にわたって配置されており、
前記メッシュ生地部は、前記複数の親骨が開いた状態で、前記傘軸の軸方向に沿う最大高さ（Ｈ）が５０〜３５０ｍｍであり、
前記メッシュ生地部は、前記傘布の周方向の両端部が該周方向の先端に向かって先細り状に形成されており、
前記金属膜は、チタン、ステンレス又は銅ニッケル合金により形成されている請求項１に記載の晴雨兼用の日傘。
【請求項７】
前記複数の親骨は、同じ長さであり、
前記傘布は、前記複数の親骨が開いた状態で、前記傘軸の軸方向からみて正多角形に形成されている請求項１乃至６のいずれか一項に記載の晴雨兼用の日傘。
【請求項８】
前記複数の親骨の一部は、他の親骨よりも長く、
前記日傘生地部は、前記複数の親骨が開いた状態で、前記傘軸の軸方向からみて正多角形に形成されている請求項１乃至６のいずれか一項に記載の晴雨兼用の日傘。
【考案の詳細な説明】
【技術分野】
【０００１】
本考案は、晴雨兼用の日傘に関する。
【背景技術】
【０００２】
従来の晴雨兼用の日傘として、傘軸と、傘軸に一端が連結されて放射状に開くことができる複数の親骨と、複数の親骨に張り付けられる傘布と、を備えるものが一般に知られている（例えば、特許文献１、２等を参照）。この特許文献１には、傘布の全体を通気性の良い織物により形成してなる日傘が記載されている。さらに、特許文献２には、傘布の全体をメッシュ生地により形成してなる日傘が記載されている。
【先行技術文献】
【特許文献】
【０００３】
【特許文献１】特開２００４−３５０８５０号公報
【特許文献２】特開平１０−２１５９２７号公報
【考案の概要】
【考案が解決しようとする課題】
【０００４】
しかし、特許文献１、２の晴雨兼用の日傘では、傘布の全体を通気性の良い織物又はメッシュ生地により形成しているので、通気性には優れるが、ＵＶカット性や遮熱性を十分に発揮できない。さらに、雨天時にはカバーを被せて日傘を使用する必要があり、複雑な構造（即ち、傘布とカバーの２重構造）の晴雨兼用の日傘となってしまう。
【０００５】
本考案は、上記現状に鑑みてなされたものであり、優れた通気性、ＵＶカット性及び遮熱性を発揮できる簡易な構造の晴雨兼用の日傘を提供することを目的とする。
【課題を解決するための手段】
【０００６】
上記問題を解決するために、請求項１に記載の考案は、傘軸と、前記傘軸に一端が連結されて放射状に開くことができる複数の親骨と、前記複数の親骨に張り付けられる傘布と、を備える晴雨兼用の日傘であって、前記傘布は、防水性の生地で形成された日傘生地部と、前記日傘生地部の外周に連なり表面に遮熱性を有する金属膜が形成されたメッシュ生地部と、を備え、前記メッシュ生地部は、前記傘布の外周部の一部を構成するように配置されていることを要旨とする。
【０００７】
請求項２に記載の考案は、請求項１に記載の考案において、前記メッシュ生地部は、前記複数の親骨が開いた状態で、前記傘布の外周部において前記傘軸を中心とする１３５〜２２５度の角度範囲にわたって配置されていることを要旨とする。
【０００８】
請求項３に記載の考案は、請求項１又は２に記載の考案において、前記メッシュ生地部は、前記複数の親骨が開いた状態で、前記傘軸の軸方向に沿う最大高さ（Ｈ）が５０〜３５０ｍｍであることを要旨とする。
【０００９】
請求項４に記載の考案は、請求項１乃至３のいずれか一項に記載の考案において、前記メッシュ生地部は、前記傘布の周方向の両端側が該周方向の先端に向かって先細り状に形成されていることを要旨とする。
【００１０】
請求項５に記載の考案は、請求項１乃至４のいずれか一項に記載の考案において、前記金属膜は、チタン、ステンレス又は銅ニッケル合金により形成されていることを要旨とする。
【００１１】
請求項６に記載の考案は、請求項１に記載の考案において、前記メッシュ生地部は、前記複数の親骨が開いた状態で、前記傘布の外周部において前記傘軸を中心とする１３５〜２２５度の角度範囲にわたって配置されており、前記メッシュ生地部は、前記複数の親骨が開いた状態で、前記傘軸の軸方向に沿う最大高さ（Ｈ）が５０〜３５０ｍｍであり、前記メッシュ生地部は、前記傘布の周方向の両端部が該周方向の先端に向かって先細り状に形成されており、前記金属膜は、チタン、ステンレス又は銅ニッケル合金により形成されていることを要旨とする。
【００１２】
請求項７に記載の考案は、請求項１乃至６のいずれか一項に記載の考案において、前記複数の親骨は、同じ長さであり、前記傘布は、前記複数の親骨が開いた状態で、前記傘軸の軸方向からみて正多角形に形成されていることを要旨とする。
【００１３】
請求項８に記載の考案は、請求項１乃至６のいずれか一項に記載の考案において、前記複数の親骨の一部は、他の親骨よりも長く、前記日傘生地部は、前記複数の親骨が開いた状態で、前記傘軸の軸方向からみて正多角形に形成されていることを要旨とする。
【考案の効果】
【００１４】
本考案の晴雨兼用の日傘によると、傘布は、防水性の生地で形成された日傘生地部と、日傘生地部の外周に連なり表面に遮熱性を有する金属膜が形成されたメッシュ生地部と、を備え、メッシュ生地部は、傘布の外周部の一部を構成するように配置されている。これにより、メッシュ生地部により優れた通気性が発揮され、日傘の内側に熱がこもらず、日傘の使用者は通風により涼風感を得ることができる。また、日傘生地部及びメッシュ生地部により優れたＵＶカット性及び遮熱性が発揮される。また、日傘の使用者はメッシュ生地部を介して景観が良く見え視野が広がり、また直射日光の眩しさも軽減される。また、メッシュ生地部の表面での太陽光の反射により日傘の使用者の顔が見えにくくなり、目隠し効果が得られる。また、日傘の使用者が太陽の位置や風向き等に応じて日傘の向きを変えることで、日傘による快適空間を自由に作ることができる。さらに、雨天時には日傘生地部で雨が遮られるため、従来のように傘布にカバーを被せる必要がなく、簡易な構造の晴雨兼用の日傘とすることができる。
【００１５】
また、前記メッシュ生地部が、前記複数の親骨が開いた状態で、前記傘布の外周部において前記傘軸を中心とする１３５〜２２５度の角度範囲にわたって配置されている場合は、メッシュ生地部を傘布の周方向に広く確保できる。よって、日傘の使用者の視認性及び通気性が効果的に高められる。
【００１６】
また、前記メッシュ生地部は、前記複数の親骨が開いた状態で、前記傘軸の軸方向に沿う最大高さ（Ｈ）が５０〜３５０ｍｍである場合は、日傘生地部とメッシュ生地部をバランス良く確保できる。
【００１７】
また、前記メッシュ生地部が、前記傘布の周方向の両端側が該周方向の先端に向かって先細り状に形成されている場合は、日傘生地部とメッシュ生地部をバランス良く確保できる。さらに、シャープな印象を与えるメッシュ生地部となるため、意匠性が高められる。
【００１８】
また、前記金属膜が、チタン、ステンレス又は銅ニッケル合金により形成されている場合は、メッシュ生地部のＵＶカット性、遮熱性及び耐蝕性が効果的に高められる。
【００１９】
また、前記複数の親骨が、同じ長さであり、前記傘布が、前記複数の親骨が開いた状態で、前記傘軸の軸方向からみて正多角形に形成されている場合は、一般的な形状の傘布を備える日傘を提供できる。
【００２０】
さらに、前記複数の親骨の一部が、他の親骨よりも長く、前記日傘生地部が、前記複数の親骨が開いた状態で、前記傘軸の軸方向からみて正多角形に形成されている場合は、一部が径方向に長い特殊な形状の傘布を備える日傘を提供できる。
【図面の簡単な説明】
【００２１】
本考案について、本考案による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例１に係る晴雨兼用の日傘（開いた状態）の平面図である。
【図２】図１のＩＩ矢視図である。
【図３】図１のＩＩＩ−ＩＩＩ線断面拡大図である。
【図４】実施例１に係るメッシュ生地部を説明するための説明図であり、（ａ）はメッシュ生地部の要部平面図であり、（ｂ）はｂ−ｂ線断面図である。
【図５】上記日傘（閉じた状態）の側面図である。
【図６】上記日傘の作用説明図であり、（ａ）は使用者の後方に太陽が位置する状態を示し、（ｂ）は使用者の前方に太陽が位置する状態を示す。
【図７】実施例２に係る晴雨兼用の日傘（開いた状態）の平面図である。
【図８】図７のＶＩＩＩ矢視図である。
【図９】他の形態に係る晴雨兼用の日傘を説明するための説明図である。
【図１０】更なる他の形態に係る晴雨兼用の日傘を説明するための説明図であり、（ａ）は平面図を示し、（ｂ）はｂ矢視図を示す。
【図１１】更なる他の形態に係る晴雨兼用の日傘を説明するための説明図であり、（ａ）は平面図を示し、（ｂ）はｂ矢視図を示す。
【考案を実施するための形態】
【００２２】
ここで示される事項は例示的なものおよび本考案の実施形態を例示的に説明するためのものであり、本考案の原理と概念的な特徴とを最も有効に且つ難なく理解できる説明であると思われるものを提供する目的で述べたものである。この点で、本考案の根本的な理解のために必要である程度以上に本考案の構造的な詳細を示すことを意図してはおらず、図面と合わせた説明によって本考案の幾つかの形態が実際にどのように具現化されるかを当業者に明らかにするものである。
【００２３】
本実施形態に係る晴雨兼用の日傘１Ａ、１Ｂは、例えば、図１〜図３等に示すように、傘軸２と、傘軸２に一端が連結されて放射状に開くことができる複数の親骨３と、複数の親骨３に張り付けられる傘布４と、を備える。そして、傘布４は、防水性の生地で形成された日傘生地部１１と、日傘生地部１１の外周に連なり表面に遮熱性を有する金属膜１３が形成されたメッシュ生地部１２と、を備え、メッシュ生地部１２は、傘布４の外周部の一部を構成するように配置されている。
【００２４】
日傘１Ａ、１Ｂの種類、サイズ等は特に問わない。この日傘１Ａ、１Ｂの種類としては、例えば、長傘、折り畳み傘等が挙げられる。
【００２５】
傘軸（中棒）２の材質、サイズ等は特に問わない。この傘軸２には、通常、一端側に石突６が設けられ、他端側に持ち手（手元）７が設けられている。
【００２６】
親骨３の材質、本数等は特に問わない。この親骨３は、通常、放射状に開いた状態（図１等参照）と傘軸２に沿う閉じた状態（図５等参照）との間で開閉されるとともに、各状態に位置決めされる。さらに、複数の親骨３は、例えば、全てが同じ長さに設定されていてもよいし（図１等参照）、一部の親骨３が他の親骨３よりも長く設定されていてもよい（図７等参照）。さらに、親骨３の長さとしては、例えば、４００〜７００ｍｍが挙げられる。親骨３の長さが比較的長い（例えば、７００ｍｍ）日傘は、スポーツ観戦用、ゴルフプレー用等として好適に使用される。
【００２７】
傘布４の張り方、形状等は特に問わない。この傘布４傘布４の張り方としては、例えば、標準張り、深張り、浅張り等が挙げられる。さらに、傘布４は、例えば、親骨３が開いた状態で、傘軸２の軸方向からみて正多角形に形成されていてもよいし（図１等参照）、正多角形でない多角形に形成されていてもよい（図７等参照）。
【００２８】
日傘生地部１１の材質、形状等は特に問わない。この日傘生地部１１としては、例えば、織物、編物、不織布等を用いることができる。これら織物や編物の組織は特に問わない。さらに、日傘生地部１１を構成する繊維としては、例えば、ポリエステル、ナイロン、Ｔ／Ｃ（ポリエステルと綿の混紡素材）、ポリエチレン等の合成繊維、綿、麻等の天然繊維などを用いることができる。
【００２９】
日傘生地部１１には、通常、その裏面に防水層が備えられている。この防水層の材質としては、例えば、ポリウレタン、シリコン、アクリル等が挙げられる。さらに、日傘生地部１１には、例えば、撥水加工、ＵＶ加工、遮光・遮熱加工、プリント加工等のうちの１種又は２種以上の組み合わせの加工が施されていることができる。さらに、日傘生地部１１は、例えば、親骨３が開いた状態で、傘軸２の軸方向からみて正多角形でない多角形に形成されていてもよいし（図１等参照）、正多角形に形成されていてもよい（図７等参照）。
【００３０】
メッシュ生地部１２の材質、形状等は特に問わない。このメッシュ生地部１２としては、例えば、織物、編物、不織布等を用いることができる。これら織物や編物の組織は特に問わない。さらに、メッシュ生地部１２を構成する繊維としては、例えば、ポリエステル、ナイロン、Ｔ／Ｃ（ポリエステルと綿の混紡素材）、ポリエチレン等の合成繊維、綿、麻等の天然繊維などを用いることができる。さらに、メッシュ生地部１２の開口率は、特に問わず、通気性や強度等を考慮して適宜選択される。
【００３１】
メッシュ生地部１２は、視野性及び通気性等の観点から、複数の親骨３が開いた状態で、傘布４の外周部において傘軸２を中心とする１３５〜２２５度（好ましくは１５０〜２１０度）の角度範囲Ａにわたって配置されていることが好ましい（図１等参照）。
メッシュ生地部１２は、日傘生地部１１との配置のバランス性等の観点から、複数の親骨３が開いた状態で、傘軸２の軸方向に沿う最大高さＨが５０〜３５０ｍｍ（好ましくは１００〜３５０ｍｍ）であることが好ましい（図２等参照）。さらに、メッシュ生地部１２の傘布４の周方向の両端部が該周方向の先端に向かって先細り状に形成されていることが好ましい（図１等参照）。
【００３２】
なお、メッシュ生地部１２としては、例えば、積水ナノコートテクノロジー株式会社製の「遮熱クールアップ」（商品名）を用いることができる。
【００３３】
金属膜１３の材質、形成方法等は特に問わない。この金属膜１３の材質としては、例えば、チタン、ステンレス、銅ニッケル合金（特にモネル）、真鍮、アルミニウム等が挙げられる。これらのうち、ＵＶカット性、遮熱性及び耐蝕性等の観点から、チタン、ステンレス又は銅ニッケル合金であることが好ましい。さらに、金属膜１３の形成方法としては、例えば、スパッタリング法、真空蒸着法、イオンプレーティング法、プラズマＣＶＤ法等を用いることができる。これらのうち、金属膜１３の薄膜化等の観点から、スパッタリング法が好ましい。
【００３４】
なお、上記実施形態で記載した各構成の符号は、以下の実施例に記載の具体的構成との対応関係を示すものである。
【実施例】
【００３５】
以下、図面を用いて実施例により本考案を具体的に説明する。
【００３６】
＜実施例１＞
本実施例に係る晴雨兼用の日傘１Ａは、図１〜図３に示すように、長傘である。この日傘１Ａは、傘軸２と、傘軸２に一端が連結されて放射状に開くことができる複数（例えば、８本）の親骨３と、複数の親骨３に張り付けられる傘布４と、を備えている。
【００３７】
傘軸２には、一端側に石突６が設けられ、他端側に持ち手７が設けられている。また、親骨３は、放射状に開いた状態（図１参照）と傘軸２に沿う閉じた状態（図５参照）との間で開閉されるとともに、各状態に位置決めされる。さらに、複数の親骨３は、全てが同じ長さに設定されていている。また、傘布４は、親骨３の開閉状態に応じて開閉される。さらに、傘布４は、親骨３が開いた状態で、傘軸２の軸方向からみて正多角形（具体的に正八角形）に形成されている。さらに、傘布４は、深張りとされている。
なお、図３中において符号「８」は、親骨３を支える受骨を示す。
【００３８】
傘布４は、防水性の生地で形成された日傘生地部１１と、日傘生地部１１の外周に連なり表面（具体的に、外側を向く表面）に遮熱性を有するチタン等の金属膜１３が形成されたメッシュ生地部１２と、を備えている。
【００３９】
日傘生地部１１は、ポリエステル等の合成繊維からなる織物である。この日傘生地部１１には、その裏面にウレタンコーティング層等の防水層が備えられている。また、日傘生地部１１には、周知の撥水加工、ＵＶ加工、遮光・遮熱加工等が施されている。さらに、日傘生地部１１は、親骨３が開いた状態で、傘軸２の軸方向からみて正多角形でない多角形（具体的に八角形）に形成されている（図１参照）。
【００４０】
メッシュ生地部１２は、ポリエステル等の合成繊維からなり表面にチタン等の金属膜１３が形成された織物である（図４参照）。この金属膜は、スパッタリング法により薄膜状（例えば、膜厚さが０．００１μｍ以下等）に形成されている。また、メッシュ生地部１２は、その表面（即ち、金属膜１３の表面）がグレーであり、その裏面が黒色である。
【００４１】
メッシュ生地部１２は、傘布４の外周部の一部を構成するように配置されている。具体的に、メッシュ生地部１２は、複数の親骨３が開いた状態で、傘布４の外周部において傘軸２を中心とする約１８０度の角度範囲Ａにわたって配置されているとともに、傘軸２の軸方向に沿う最大高さＨが約３００ｍｍとされている。さらに、メッシュ生地部１２の傘布４の周方向の両端側のそれぞれは、該周方向の先端に向かって先細り状に形成されている。さらに、メッシュ生地部１２は、隣り合う一対の親骨３の間で形成される三角領域１２ａと、隣り合う一対の親骨３の間で形成される四角領域１２ｂと、を含んでいる。この三角領域１２ａは、メッシュ生地部１２の傘布４の周方向の両端側を構成している。さらに、四角領域１２ｂは、メッシュ生地部１２の傘布４の周方向の中間側を構成している。
【００４２】
次に、上記構成の日傘１Ａの性能試験について説明する。
気温２１℃、湿度８１％の屋外において、一般的な日傘をさした場合には暑さ指数（ＷＢＧＴ）が２０℃となるのに対して、本日傘１Ａをさした場合には暑さ指数（ＷＢＧＴ）が１８℃となった。
さらに、サーモグラフィーの撮影による顔付近の温度に関して、傘をささない場合には約３０℃となり、一般的な雨傘をさした場合には約２７℃となり、一般的な日傘をさした場合には約２５℃となり、本日傘１Ａをさした場合には約２１℃となった。
これらの試験結果により、本日傘１Ａによれば、熱がこもらない快適空間を形成できることがわかった。
【００４３】
本実施例の晴雨兼用の日傘１Ａによると、傘布４は、防水性の生地で形成された日傘生地部１１と、日傘生地部１１の外周に連なり表面に遮熱性を有する金属膜１３が形成されたメッシュ生地部１２と、を備え、メッシュ生地部１２は、傘布４の外周部の一部を構成するように配置されている。これにより、メッシュ生地部１２により優れた通気性が発揮され、日傘１Ａの内側に熱がこもらず、日傘１Ａの使用者は通風により涼風感を得ることができる。また、日傘生地部１１及びメッシュ生地部１２により優れたＵＶカット性及び遮熱性が発揮される。また、日傘１Ａの使用者はメッシュ生地部１２を介して景観が良く見え視野が広がり、また直射日光の眩しさも軽減される。一方、メッシュ生地部１２の表面での太陽光の反射により日傘１Ａの使用者の顔が見えにくくなり、目隠し効果が得られる。また、図６に示すように、日傘１Ａの使用者が太陽の位置や風向き等に応じて日傘１Ａの向きを変えることで、日傘１Ａによる快適空間を自由に作ることができる。さらに、雨天時には日傘生地部１１で雨が遮られるため、従来のように傘布にカバーを被せる必要がなく、簡易な構造の晴雨兼用の日傘１Ａとすることができる。
【００４４】
近年、小学校では熱中症及び感染予防対策のために「傘さし登下校」を実施することがあるが、本日傘１Ａを登下校時に使用することで、効果的な熱中症及び感染予防対策を図ることができる。
【００４５】
また、本実施例では、メッシュ生地部１２は、複数の親骨３が開いた状態で、傘布４の外周部において傘軸２を中心とする約１８０度の角度範囲Ａにわたって配置されている。これにより、メッシュ生地部１２を傘布４の周方向に広く確保できる。よって、日傘１Ａの使用者の視認性及び通気性が効果的に高められる。
【００４６】
また、本実施例では、メッシュ生地部１２は、複数の親骨３が開いた状態で、傘軸２の軸方向に沿う最大高さＨが約３００ｍｍとされている。これにより、日傘生地部１１とメッシュ生地部１２をバランス良く確保できる。
【００４７】
また、本実施例では、メッシュ生地部１２は、傘布４の周方向の両端側が該周方向の先端に向かって先細り状に形成されている。これにより、日傘生地部１１とメッシュ生地部１２をバランス良く確保できる。さらに、シャープな印象を与えるメッシュ生地部１２となるため、意匠性が高められる。
【００４８】
さらに、本実施例では、複数の親骨３は、同じ長さであり、傘布４は、複数の親骨３が開いた状態で、傘軸２の軸方向からみて正多角形（具体的に正八角形）に形成されている。これにより、一般的な形状の傘布４を備える日傘１Ａを提供できる。
【００４９】
＜実施例２＞
次に、実施例２に係る晴雨兼用の日傘１Ｂについて説明するが、実施例１に係る晴雨兼用の日傘１Ａと略同じ構成の部位には同符号を付けて詳細を省略する。
【００５０】
本実施例に係る晴雨兼用の日傘１Ｂは、図７及び図８に示すように、折り畳み傘である。この日傘１Ｂは、傘軸２と、複数（例えば、７本）の親骨３と、傘布４と、を備えている。この傘軸２は、伸縮可能に構成されている。また、複数の親骨３は、折り畳み可能に構成されている。さらに、複数の親骨３の一部（例えば、２本）は、他の親骨３よりも長く設定されている。
【００５１】
傘布４は、親骨３が開いた状態で、傘軸２の軸方向からみて正多角形でない多角形（具体的に七角形）に形成されている。この傘布４は、日傘生地部１１と、メッシュ生地部１２と、を備えている。この日傘生地部１１は、親骨３が開いた状態で、傘軸２の軸方向からみて正多角形（具体的に正七角形）に形成されている。また、メッシュ生地部１２は、複数の親骨３が開いた状態で、傘布４の外周部において傘軸２を中心とする約１５４度の角度範囲Ａにわたって配置されているとともに、傘軸２の軸方向に沿う最大高さＨが約３００ｍｍとされている。
【００５２】
本実施例２の日傘１Ｂによると、実施例１の日傘１Ａと略同様の作用効果を奏するとともに、複数の親骨３の一部は、他の親骨３よりも長く、日傘生地部１１は、複数の親骨３が開いた状態で、傘軸２の軸方向からみて正多角形に形成されているので、一部が径方向に長い特殊な形状の傘布４を備える日傘１Ｂを提供できる。
【００５３】
尚、本考案においては、上記実施例に限られず、目的、用途に基づいて本考案の範囲内で種々変更した実施例とすることができる。即ち、上記実施例１では、八角形の傘布４を有する日傘１Ａを例示し、上記実施例２では、七角形の傘布４を有する日傘１Ｂを例示したが、これに限定されず、例えば、図９に示すように、六角形の傘布４を有する日傘１Ａ、１Ｂとしてもよい。
【００５４】
また、上記実施例１では、複数の親骨３の長さが均一な構造を持つ長傘（日傘１Ａ）を例示したが、これに限定されず、例えば、図１０に示すように、複数の親骨３の長さが均一な構造を持つ折り畳み傘（日傘１Ａ）としてもよい。
さらに、上記実施例２では、複数の親骨３のうちの一部が長い構造を持つ折り畳み傘（日傘１Ｂ）を例示したが、これに限定されず、例えば、図１１に示すように、複数の親骨３のうちの一部が長い構造を持つ長傘（日傘１Ｂ）としてもよい。
【００５５】
また、上記実施例１、２では、メッシュ生地部１２の外側を向く表面に金属膜１３を形成する形態を例示したが、これに限定されず、例えば、メッシュ生地部１２の外側を向く表面と内側を向く裏面とに金属膜１３を形成するようにしてもよい。
【００５６】
さらに、上記実施例１、２では、メッシュ生地部１２を構成する織物の組織として平織（図４参照）を例示したが、これに限定されず、例えば、綾織、平畳織、綾畳織、変化組織、特別組織等を採用してもよい。
【００５７】
本考案は上記で詳述した実施形態に限定されず、本考案の請求項に示した範囲で様々な変形または変更が可能である。
【産業上の利用可能性】
【００５８】
本考案は、日差しを遮る日傘に関する技術として広く利用される。
【符号の説明】
【００５９】
１Ａ，１Ｂ；日傘、２；傘軸、３；親骨、４；傘布、１１；日傘生地部、１２；メッシュ生地部、１３；金属膜、Ａ；メッシュ生地部の角度範囲、Ｈ；メッシュ生地部の最大高さ。
【図１】
0003231683.tif 000003
【図２】
0003231683.tif 000004
【図３】
0003231683.tif 000005
【図４】
0003231683.tif 000006
【図５】
0003231683.tif 000007
【図６】
0003231683.tif 000008
【図７】
0003231683.tif 000009
【図８】
0003231683.tif 000010
【図９】
0003231683.tif 000011
【図１０】
0003231683.tif 000012
【図１１】
0003231683.tif 000013